(57)【要約】【課題】装置本体の盗難を抑制すると共に、ビデオコントローラボード及び該ボードに増設されたアクセサリ部材の盗難を抑制可能な画像形成装置及び画像読取装置を提供する。【解決手段】画像形成部と、画像形成部を保持する枠体と、外部情報機器からの情報を受信・処理するビデオコントローラボード２７と、枠体を覆う着脱可能な外装カバー２０と、枠体と外装カバー２０とを施錠するロック機構３５とを有し、ビデオコントローラボード２７が枠体と外装カバー２０との間に配置され、枠体及び外装カバー２０が、それぞれ挿通孔を有し、挿通孔は枠体に外装カバー２０が取り付けられた際に、ロック機構３５が外装カバー２０の外側から枠体の内側まで貫通可能となるように互いに対向する位置に配置され、ロック機構３５が挿通孔を貫通して枠体と外装カバー２０とを施錠することを特徴とする画像形成装置。【選択図】図４
2007199159.tif 000002
【特許請求の範囲】
【請求項１】
転写材に画像を形成する画像形成部と、
前記画像形成部を保持する枠体と、
外部情報機器からの情報を受信し、処理を行う情報処理手段と、
前記枠体を覆う着脱可能な外装部材と、
前記枠体と前記外装部材とを施錠する施錠手段とを有する画像形成装置であって、
前記情報処理手段が前記枠体と前記外装部材との間に配置され、
前記枠体及び前記外装部材が、それぞれ前記施錠手段が挿通される挿通孔を有し、前記挿通孔は、前記枠体に前記外装部材が取り付けられた際に、前記施錠手段が前記外装部材の外側から前記枠体の内側まで貫通可能となるように互いに対向する位置に配置され、
前記施錠手段が、前記挿通孔を貫通して前記枠体と前記外装部材とを施錠することを特徴とする画像形成装置。
【請求項２】
請求項１に記載の画像形成装置において、前記情報処理手段が、アクセサリ部材を着脱可能であることを特徴とする画像形成装置。
【請求項３】
転写材に画像を形成する画像形成部と、
前記画像形成部を保持する枠体と、
アクセサリ部材を着脱可能であり、外部情報機器からの情報を受信し、処理を行う情報処理手段と、
前記アクセサリ部材を覆う着脱可能なアクセサリカバー部材を有し、前記枠体を覆う外装部材と、
前記枠体と前記アクセサリカバー部材とを施錠する施錠手段とを有する画像形成装置であって、
前記情報処理手段が前記枠体と前記外装部材との間に配置され、
前記枠体及び前記アクセサリカバー部材が、それぞれ前記施錠手段が挿通される挿通孔を有し、前記挿通孔は、前記外装部材に前記アクセサリカバー部材が取り付けられた際に、前記施錠手段が前記アクセサリカバー部材の外側から前記枠体の内側まで貫通可能となるように互いに対向する位置に配置され、
前記施錠手段が、前記挿通孔を貫通して前記枠体と前記アクセサリカバー部材とを施錠することを特徴とする画像形成装置。
【請求項４】
請求項１ないし３のいずれかに記載の画像形成装置において、前記アクセサリ部材が、ＤＩＭＭ、ＵＳＢメモリのうちの少なくとも一つを含むことを特徴とする画像形成装置。
【請求項５】
請求項１ないし４のいずれかに記載の画像形成装置において、前記施錠手段が紐部材を有し、前記紐部材により前記施錠手段を建造物等の固定物に固定可能であることを特徴とする画像形成装置。
【請求項６】
原稿に記録された画像を読み取る画像読取部と、
前記画像読取部を保持する枠体と、
外部情報機器への情報の送信を行う情報処理手段と、
前記枠体を覆う着脱可能な外装部材と、
前記枠体と前記外装部材とを施錠する施錠手段とを有する画像読取装置であって、
前記情報処理手段が前記枠体と前記外装部材との間に配置され、
前記枠体及び前記外装部材が、それぞれ前記施錠手段が挿通される挿通孔を有し、前記挿通孔は、前記枠体に前記外装部材が取り付けられた際に、前記施錠手段が前記外装部材の外側から前記枠体の内側まで貫通可能となるように互いに対向する位置に配置され、
前記施錠手段が、前記挿通孔を貫通して前記枠体と前記外装部材とを施錠することを特徴とする画像読取装置。
【請求項７】
請求項６に記載の画像読取装置において、前記情報処理手段が、アクセサリ部材を着脱可能であることを特徴とする画像読取装置。
【請求項８】
原稿に記録された画像を読み取る画像読取部と、
前記画像読取部を保持する枠体と、
アクセサリ部材を着脱可能であり、外部情報機器への情報の送信を行う情報処理手段と、
前記アクセサリ部材を覆う着脱可能なアクセサリカバー部材を有し、前記枠体を覆う外装部材と、
前記枠体と前記アクセサリカバー部材とを施錠する施錠手段とを有する画像読取装置であって、
前記情報処理手段が前記枠体と前記外装部材との間に配置され、
前記枠体及び前記アクセサリカバー部材が、それぞれ前記施錠手段が挿通される挿通孔を有し、前記挿通孔は、前記外装部材に前記アクセサリカバー部材が取り付けられた際に、前記施錠手段が前記アクセサリカバー部材の外側から前記枠体の内側まで貫通可能となるように互いに対向する位置に配置され、
前記施錠手段が、前記挿通孔を貫通して前記枠体と前記アクセサリカバー部材とを施錠することを特徴とする画像読取装置。
【請求項９】
請求項６ないし８のいずれかに記載の画像読取装置において、前記アクセサリ部材が、ＤＩＭＭ、ＵＳＢメモリのうちの少なくとも一つを含むことを特徴とする画像読取装置。
【請求項１０】
請求項６ないし９のいずれかに記載の画像読取装置において、前記施錠手段が紐部材を有し、前記紐部材により前記施錠手段を建造物等の固定物に固定可能であることを特徴とする画像読取装置。
【発明の詳細な説明】
【技術分野】
【０００１】
本発明は、電子写真複写機、プリンタ等の画像形成装置及びスキャナ等の画像読取装置に関する。特に、盗難抑制・防止用のロック機構を有する画像形成装置及び画像読取装置に関するものである。
【背景技術】
【０００２】
従来の画像形成装置の一例として図６に示すようなレーザビームプリンタがある。図６は、従来例に係る画像形成装置の主要機構部の概略斜視図である。
【０００３】
図６において、画像形成装置１は、装置本体の底部に設けられた給紙手段としてのカセット給紙装置８と、画像形成部の一部であり装置本体から着脱可能なプロセスカートリッジ１３を有している。１９は、排紙手段としての排紙ローラ対である。１１はレーザスキャナであって、レーザスキャナ保持ステー２３に固定されている。
【０００４】
カセット給紙装置８と、画像形成部と、レーザスキャナ保持ステー２３は、例えば板金で作成された右側板２４及び左側板２５とに挟まれて装置本体の枠体を構成している。左側板２５の装置本体外側には、ホストコンピュータ等の不図示の外部情報機器からの画像作成要求情報等を処理するビデオコントローラボード２７が設置してある。
【０００５】
ビデオコントローラボード２７は、外部接続用ケーブルコネクタ２８により外部情報機器と接続されている。またビデオコントローラボード２７と装置本体内の電気的接続を示した例としては、例えば下記特許文献１の図３又は図４等がある。
【０００６】
ところで、近年ではコンピュータ等の情報処理装置の高性能化や高画質情報に基づく印刷要求から、画像形成装置１のビデオコントローラボード２７の情報処理能力や情報記憶能力を向上する必要が発生している。このため、ユーザが必要に応じてビデオコントローラボード２７に、ＤＩＭＭ（Ｄｕａｌ  Ｉｎ−Ｌｉｎｅ  Ｍｅｍｏｒｙ  Ｍｏｄｕｌｅｓ）、ＵＳＢメモリ等のアクセサリ部材を追加して、ビデオコントローラボード２７の機能を向上できるようになっているものが多い。ビデオコントローラボード２７においても、増設メモリ用のメモリコネクタ３２等が設けられ、ビデオコントローラボード２７の機能を向上できるようになっている。また画像形成装置本体も高性能化及び小型化され、設置場所の選択範囲が増え、また持ち運びが容易になって、利便性が向上している。
【特許文献１】特開平７−３３４０４９号公報
【発明の開示】
【発明が解決しようとする課題】
【０００７】
しかしながら、上記従来例のように、画像形成装置１の小型化により、画像形成装置１の設置場所の多様化、持ち運び易さが向上したことで、画像形成装置本体が盗難されてしまうという問題が発生するようになった。
【０００８】
また、上記従来例のように、情報処理装置の高性能化に伴って、ビデオコントローラボード２７へのユーザによるＤＩＭＭやＵＳＢメモリ等のアクセサリ部材の増設によるアップグレードが可能になった。しかしながら、これにより、高性能なビデオコントローラボード２７が装置本体より外され、盗難されてしまうという問題も発生するようになってきた。さらには、ビデオコントローラボード２７に増設したＵＳＢメモリやＤＩＭＭ等のアクセサリ部材が盗難されてしまうという問題も発生するようになってきた。これらの問題は、画像読取装置についても同様のことがいえる。
【０００９】
本発明は、かかる問題点に鑑みてなされたものであり、装置本体の盗難を抑制すると共に、ビデオコントローラボード及び該ボードに増設されたアクセサリ部材の盗難を抑制可能な画像形成装置及び画像読取装置を提供することを目的とする。
【課題を解決するための手段】
【００１０】
本発明は上述した課題を解決するためになされたものであり、以下の構成を備える。
【００１１】
（１）転写材に画像を形成する画像形成部と、前記画像形成部を保持する枠体と、外部情報機器からの情報を受信し、処理を行う情報処理手段と、前記枠体を覆う着脱可能な外装部材と、前記枠体と前記外装部材とを施錠する施錠手段とを有する画像形成装置であって、前記情報処理手段が前記枠体と前記外装部材との間に配置され、前記枠体及び前記外装部材が、それぞれ前記施錠手段が挿通される挿通孔を有し、前記挿通孔は、前記枠体に前記外装部材が取り付けられた際に、前記施錠手段が前記外装部材の外側から前記枠体の内側まで貫通可能となるように互いに対向する位置に配置され、前記施錠手段が、前記挿通孔を貫通して前記枠体と前記外装部材とを施錠することを特徴とする画像形成装置。
【００１２】
（２）転写材に画像を形成する画像形成部と、前記画像形成部を保持する枠体と、アクセサリ部材を着脱可能であり、外部情報機器からの情報を受信し、処理を行う情報処理手段と、前記アクセサリ部材を覆う着脱可能なアクセサリカバー部材を有し、前記枠体を覆う外装部材と、前記枠体と前記アクセサリカバー部材とを施錠する施錠手段とを有する画像形成装置であって、前記情報処理手段が前記枠体と前記外装部材との間に配置され、前記枠体及び前記アクセサリカバー部材が、それぞれ前記施錠手段が挿通される挿通孔を有し、前記挿通孔は、前記外装部材に前記アクセサリカバー部材が取り付けられた際に、前記施錠手段が前記アクセサリカバー部材の外側から前記枠体の内側まで貫通可能となるように互いに対向する位置に配置され、前記施錠手段が、前記挿通孔を貫通して前記枠体と前記アクセサリカバー部材とを施錠することを特徴とする画像形成装置。
【００１３】
（３）原稿に記録された画像を読み取る画像読取部と、前記画像読取部を保持する枠体と、外部情報機器への情報の送信を行う情報処理手段と、前記枠体を覆う着脱可能な外装部材と、前記枠体と前記外装部材とを施錠する施錠手段とを有する画像読取装置であって、前記情報処理手段が前記枠体と前記外装部材との間に配置され、前記枠体及び前記外装部材が、それぞれ前記施錠手段が挿通される挿通孔を有し、前記挿通孔は、前記枠体に前記外装部材が取り付けられた際に、前記施錠手段が前記外装部材の外側から前記枠体の内側まで貫通可能となるように互いに対向する位置に配置され、前記施錠手段が、前記挿通孔を貫通して前記枠体と前記外装部材とを施錠することを特徴とする画像読取装置。
【００１４】
（４）原稿に記録された画像を読み取る画像読取部と、前記画像読取部を保持する枠体と、アクセサリ部材を着脱可能であり、外部情報機器への情報の送信を行う情報処理手段と、前記アクセサリ部材を覆う着脱可能なアクセサリカバー部材を有し、前記枠体を覆う外装部材と、前記枠体と前記アクセサリカバー部材とを施錠する施錠手段とを有する画像読取装置であって、前記情報処理手段が前記枠体と前記外装部材との間に配置され、前記枠体及び前記アクセサリカバー部材が、それぞれ前記施錠手段が挿通される挿通孔を有し、前記挿通孔は、前記外装部材に前記アクセサリカバー部材が取り付けられた際に、前記施錠手段が前記アクセサリカバー部材の外側から前記枠体の内側まで貫通可能となるように互いに対向する位置に配置され、前記施錠手段が、前記挿通孔を貫通して前記枠体と前記アクセサリカバー部材とを施錠することを特徴とする画像読取装置。
【発明の効果】
【００１５】
本発明によれば、装置本体の盗難を抑制すると共に、ビデオコントローラボード及び該ボードに増設されたアクセサリ部材の盗難を抑制可能な画像形成装置及び画像読取装置を提供することができる。
【発明を実施するための最良の形態】
【００１６】
本発明を実施するための最良の形態を、以下の実施例に基づいて説明する。
【００１７】
ただし、この実施形態に記載されている構成部品の寸法、材質、形状、その相対配置等は、特に特定的な記載がない限りは、この発明の範囲をそれらのみに限定する趣旨のものではない。
【実施例１】
【００１８】
以下に本発明の一実施例として、感光体ドラムにレーザ光を走査して画像形成する電子写真方式の画像形成装置（以下、レーザビームプリンタ）に本発明を適用した場合について説明する。
【００１９】
図１は本実施例に係る画像形成装置の概略断面図である。また、図２は本実施例に係る画像形成装置の主要機構部の概略斜視図である。
【００２０】
まず、本実施例に係るレーザビームプリンタの概略構成について、以下に説明する。
【００２１】
図１中、１は画像形成装置本体である。２は画像形成装置１内に給送される転写材としての記録紙Ｐを収納する転写材収納手段としての給紙カセットである。給紙カセット２に収納された記録紙Ｐは、給紙カセット２の上部前端側に配設された給紙手段としての給紙ローラ３に、押圧部材としての加圧板４により押圧され、ピックアップされる。そして記録紙Ｐは、分離手段を構成する分離パッド５と給紙ローラ３によって１枚ずつ分離され、第１搬送ローラ対６に向けて給紙される。
【００２２】
第１搬送ローラ対６は、カセット給紙装置８から給紙された記録紙Ｐを湾曲した搬送路７を経由して第２搬送ローラ対９に搬送する。そして記録紙Ｐは第２搬送ローラ対９により画像形成部に搬送される。１０はレジストセンサであり、レジストセンサ１０は記録紙Ｐの先端位置と露光手段としてのレーザスキャナ１１の発光タイミングを同期させる。これにより、記録紙Ｐ上の所定位置から画像の描き出しを行うことができる。１２は、折り返しミラーである。
【００２３】
１３は、像担持体としての感光体ドラム１４、不図示の現像手段としての現像器、クリーナ、帯電手段としての帯電ローラ等の画像形成手段を含むプロセスカートリッジである。１５は、感光体ドラム１４と当接して、感光体ドラム１４上の顕画像を記録紙Ｐ上に転写させる転写手段としての転写ローラである。プロセスカートリッジ１３と転写ローラ１５とは、画像形成部を構成する。１６は、画像形成部において顕画像が転写された記録紙Ｐを定着手段としての定着器１７まで案内する搬送ガイドである。定着器１７は、記録紙Ｐ上の未定着顕画像を加圧熱定着する。
【００２４】
１８は、加圧熱定着後の記録紙Ｐの記録紙先端位置と記録紙後端位置を検出して、ジャム検知する排紙センサーである。加熱定着後の記録紙Ｐは排紙ローラ対１９により、外装部材としての外装カバー２０と一体的に形成される排紙トレイ２１上に排出される。
【００２５】
（記録紙搬送路について）
図１に示すように、給紙カセット２は装置本体の下部（図１の下部分）に設けられ、排紙トレイ２１が装置本体の上部に設けられている。そして、給紙カセット２の記録紙搬送方向先端部と排紙トレイ２１の記録紙搬送方向後端部とは、画像形成部、定着器１７を含めて構成される搬送路で連結されて、これらは全体としてＳ字のパスを構成している。このように、給紙カセット２を装置本体の下部に、排紙トレイ２１を装置本体の上部に配設したＳ字パスの搬送路とすることで、装置本体をコンパクトにまとめ、設置面積の低減を図っている。
【００２６】
（レーザスキャナ配置について）
図１に示すようにレーザスキャナ１１は、ユニット配置としてはスキャナポリゴン１１ａを下方に、折り返しミラー１２を上方にして、右上がりの配置となっている。ここで、画像形成装置１の大きさをできるだけ小型にするためには、図１に示すようにカセット給紙装置８〜画像形成部〜定着器１７にかけての記録紙搬送経路に対して、略垂直な方向から感光体ドラム１４にレーザ光を入射することが有効である。このような構成とすることによって、画像形成装置１の奥行き及び高さをコンパクトに収めることが可能となっている。
【００２７】
（電装系レイアウトについて）
図１において２２は、ＡＣ電源及びＤＣ電源、高圧電源を含む電装部である。図１に示すように電装部２２を、画像形成部から定着器１７にかけての記録紙搬送経路の下部で、給紙カセット２の上部に配置する。これにより、装置本体内部のスペースを無駄なく利用して電装部２２による画像形成装置１の設置面積の増大を抑えている。また画像形成部から定着器１７にかけての記録紙搬送経路の下部に電装部２２を配置することにより、電装部２２と転写ローラ１５や定着器１７との電気的接続に必要な束線類の簡略化を図ることができる。
【００２８】
（本体枠体構成について）
図１及び図２に示すように、画像形成装置１は、装置本体の底部に配置された給紙カセット２、給紙ローラ３を含むカセット給紙装置８と、画像形成部の一部であり装置本体から着脱可能なプロセスカートリッジ１３とを有している。また、搬送ガイド１６、レーザスキャナ１１、定着器１７、排紙ローラ対１９、電装部２２を有している。レーザスキャナ１１は、レーザスキャナ保持ステー２３に固定されている。
【００２９】
カセット給紙装置８、プロセスカートリッジ１３、搬送ガイド１６、レーザスキャナ１１、定着器１７、排紙ローラ対１９、電装部２２等の主要機構部は、右側板２４と左側板２５とに挟まれて装置本体の枠体を構成している。右側板２４と左側板２５とで主要機構部を挟んで本体枠体を構成することで、製品剛性を確保すると共に、電装部２２から発生する電気ノイズを低減している。左側板２５には後述する盗難防止用の施錠手段としてのロック機構を取り付けることのできる枠体ロック機構挿通孔２６が設けられている。
【００３０】
（ビデオロントローラボードの配置と外装カバーについて）
図２に示すように、不図示のホストコンピュータ等の外部情報機器からの画像作成要求情報等を処理する情報処理手段としてのビデオコントローラボード２７は、左側板２５の装置本体外側に取り付けられている。ビデオコントローラボード２７の取り付け位置は、特にこれに限定されず、例えば右側板２４側に取り付ける構成であってもよい。ビデオコントローラボード２７とホストコンピュータ等の外部情報機器は、外部接続用ケーブルコネクタ２８で接続されている。
【００３１】
ビデオコントローラボード２７と電装部２２は、コネクタ２９で接続されている。ビデオコントローラボード２７には、ユーザにより着脱可能なアクセサリ部材としての増設メモリ３０を差し込むためのメモリコネクタ３２が取り付けられている。
【００３２】
図３に装置本体の背面部の斜視図、図４に左側面を示す。外装カバー２０のうち、装置本体の左側面を覆う左カバー３１は、装置本体に対して着脱可能に構成される。ユーザは、左カバー３１を取り外すことで、増設メモリ３０をメモリコネクタ３２に差し込み、取り付けることができる。左カバー３１には、盗難防止用のロック機構３５を取り付けることのできる左カバーロック機構挿通孔３３が設けられている。左カバー３１を装置本体に取り付けた際に、左カバーロック機構挿通孔３３と枠体ロック機構挿通孔２６は、お互いに対向する位置に配置され、ロック機構３５が左カバー３１の外側から枠体の内側まで貫通することが可能となる。
【００３３】
本実施例に係る画像形成装置１においては、左カバー３１を装置本体に取り付けた際に、左カバーロック機構挿通孔３３と枠体ロック機構挿通孔２６は、お互いに対向する位置に配置される。これにより、左カバー３１の外側から枠体の内側まで貫通する挿通孔３４が構成され、該挿通孔３４を貫通して施錠するロック機構３５を取り付けることができる。ロック機構３５としては、その本体に鍵穴構造をもち、専用の鍵によって施錠を行うものや、ダイヤル式の鍵機構を持つもの等の従来周知のロック機構を用いることができる。また特に、ロック機構本体がワイヤ等の紐部材を備えるものであってもよい。
【００３４】
ロック機構３５を、挿通孔３４を貫通して取り付け、施錠することによって、ロック機構３５の開錠なしに左カバー３１を取り外しできなくなる。そのため、ビデオコントローラボード２７に増設した増設メモリ３０の盗難や、ビデオコントローラボード２７自体の盗難を抑制・防止することができる。またロック機構３５を、ワイヤ等を介して建造物等の固定物に固定することで、装置本体の盗難も抑制・防止することができる。ロック機構３５は左カバー３１を貫通して本体枠体をロックするため、挿通孔３４の破壊も困難であるという効果がある。
【実施例２】
【００３５】
実施例１では、ビデオコントローラボード２７を覆う左カバー３１全体をユーザが着脱可能な構成とした。本実施例に係る画像形成装置においては、左カバー３１に設けたアクセサリカバー部材としてのメモリカバー３６だけが着脱可能な構成とした。本実施例に係る画像形成装置については、実施例１と異なる点についてのみ説明し、実施例１と同様の構成については同一の符号を付し、説明は省略する。
【００３６】
図５は、本実施例に係る画像形成装置の左側面図である。画像形成装置１では、左カバー３１に設けられたメモリカバー３５だけがユーザにより着脱可能なカバーである。ユーザは、このメモリカバー３６を取り外すことで、増設メモリ３０をビデオコントローラボード２７に取り付けることができる。
【００３７】
本実施例に係る画像形成装置１においても、メモリカバー３６を装置本体に取り付けた際に、メモリカバー３６のロック機構挿通孔３３と枠体ロック機構挿通孔２６が、お互いに対向する位置に配置される。これによりメモリカバー３６の外側から枠体の内側まで貫通する挿通孔３４が構成され、該挿通孔３４を貫通して施錠するロック機構３５を取り付けることができる。
【００３８】
ロック機構３５を、挿通孔３４を貫通して取り付け、施錠することによって、ロック機構３５の開錠なしにメモリカバー３６を取り外しできなくなる。そのため、ビデオコントローラボード２７に増設した増設メモリ３０の盗難を抑制・防止することができる。またロック機構３５を、ワイヤ等を介して建造物等の固定物に固定することで、装置本体の盗難も抑制・防止することができる。
【００３９】
［その他の実施例］
実施例１及び実施例２では、本発明を画像形成装置に適用した場合について説明したが、本発明は、画像形成装置の画像形成部の替わりに画像読取部を持つ画像読取装置においても適用することができ、同様の効果を得ることができる。
【００４０】
以上説明したように上述の実施例によれば、装置本体のビデオコントローラボードを装置本体枠体と外装カバーの間に配置して、枠体及び外装カバーに一つのロック機構で枠体と外装とを施錠可能な挿通孔を設けた。そして、枠体の挿通孔と外装カバーの挿通孔を貫通して施錠可能なロック機構で枠体と外装カバーとを固定すると共に、ロック部材を、ワイヤ等を介して建造物等の固定物に固定した。これにより装置本体の盗難を抑制・防止すると共に、外装カバーの取り外しもロック機構の開錠なしにはできなくなり、コントローラボード及び増設されたＤＩＭＭやＵＳＢメモリ等のアクセサリ部材の盗難を防止することができる。
【図面の簡単な説明】
【００４１】
【図１】実施例１及び２に係る画像形成装置の概略断面図
【図２】画像形成装置の主要機構部の概略斜視図
【図３】画像形成装置の背面部斜視図
【図４】実施例１に係る画像形成装置の左側面図
【図５】実施例２に係る画像形成装置の左側面図
【図６】従来例に係る画像形成装置の主要機構部の概略斜視図
【符号の説明】
【００４２】
２０  外装カバー（外装部材に対応）
２７  ビデオコントローラボード（情報処理手段に対応）
３０  増設メモリ（アクセサリ部材に対応）
３５  ロック機構（施錠手段に対応）
３６  メモリカバー（アクセサリカバー部材に対応）
Ｐ  記録紙（転写材に対応）
２６  枠体ロック機構挿通孔
３３  左カバーロック機構挿通孔
【図１】
2007199159.tif 000003
【図２】
2007199159.tif 000004
【図３】
2007199159.tif 000005
【図４】
2007199159.tif 000006
【図５】
2007199159.tif 000007
【図６】
2007199159.tif 000008